(57)【要約】【課題】本発明は、ナビゲーション装置において、使い勝手を向上させることを目的とするものである。【解決手段】制御部８は、入力部１１によって、ピックアップ希望情報が入力された場合で、ディスプレイ（表示部の一例）１０に表示されている現在位置の地図上において、そのピックアップ希望情報に合致するオンライン地点が情報保存部１３に存在するときには、オンライン地点と、このオンライン地点の他者評価を、ディスプレイ１０に表示させる。また、完全合致状態のオンライン地点と、一部合致状態のオンライン地点とは、表示内容を異ならせる。【選択図】図２
2013205035.tif 000002
【特許請求の範囲】
【請求項１】
現在位置を取得する現在位置取得手段と、この現在位置取得手段に接続された制御部と、この制御部に接続された地図情報記憶部、表示部、入力部、およびオンライン通信部と、このオンライン通信部で受信した情報を保存する情報保存部とを備え、前記制御部は、前記入力部によって、ピックアップ希望情報が入力された場合で、前記表示部に表示されている現在位置の地図上において、そのピックアップ希望情報に合致するオンライン地点が前記情報保存部に存在するときには、以下の（１）（２）（３）の動作を実行させる構成としたナビゲーション装置。
（１）オンライン地点と、このオンライン地点の他者評価と、目的地追加入力キーを、前記表示部に表示させる。
（２）前記（１）において、完全合致状態のオンライン地点と、一部合致状態のオンライン地点とは、表示内容を異ならせる。
（３）前記目的地追加入力キーの操作により、表示部に表示されたオンライン地点を目的地設定した場合には、表示部に自評価入力欄を表示させる。
【請求項２】
一部合致状態のオンライン地点に対する、目的地追加入力キーには、入力不可表示をさせる請求項１に記載のナビゲーション装置。
【請求項３】
制御部は、表示部に表示されたオンライン地点を目的地設定した場合には、目的地到着後、表示部に自評価入力欄を表示させる構成とした請求項１または２に記載のナビゲーション装置。
【請求項４】
制御部は、表示部に表示された自評価入力欄に、自評価を入力した場合には、このオンライン地点に関する自評価入力欄を、以降は、非表示とする請求項１から３のいずれか一つに記載のナビゲーション装置。
【発明の詳細な説明】
【技術分野】
【０００１】
本発明は、自動車などに装着されるナビゲーション装置に関するものである。
【背景技術】
【０００２】
近年、例えば携帯電話にて取得したオンライン情報を、ナビゲーション装置に取り込むことで、利便性を高めたものが提案されている。
【０００３】
例えば、下記特許文献１に記載されたものでは、現在位置の近傍で、開店状態の店を探してディスプレイに表示し、その情報を活用して、目的地設定を行うようにしている。
【０００４】
このため、到着した状態で目的地が閉店していたと言う事態にはならず、極めて利便性の高いものとなる。
【先行技術文献】
【特許文献】
【０００５】
【特許文献１】特開２００９−１４５２３４号公報
【発明の概要】
【発明が解決しようとする課題】
【０００６】
上記従来例においては、目的地設定した店が閉店していたと言うことにはならないので、その点では利便性の高いものになるが、訪れたのは良いが、例えば店が食堂であった場合、料理の味や店の雰囲気が好ましくない状態の時には、かえってガッカリとすることも多く、このときには、使い勝手の悪いものになる。
【０００７】
そこで本発明は、使い勝手を向上することを目的とするものである。
【課題を解決するための手段】
【０００８】
そして、この目的を達成するために本発明は、現在位置を取得する現在位置取得手段と、この現在位置取得手段に接続された制御部と、この制御部に接続された地図情報記憶部、ディスプレイ、入力部、およびオンライン通信部と、このオンライン通信部で受信した情報を保存する情報保存部とを備え、前記制御部は、前記入力部によって、ピックアップ希望情報が入力された場合で、前記表示部に表示されている現在位置の地図上において、そのピックアップ希望情報に合致するオンライン地点が前記情報保存部に存在するときには、以下の（１）（２）（３）の動作を実行させる構成とすることで、所期の目的を達成するものである。
（１）オンライン地点と、このオンライン地点の他者評価と、目的地追加入力キーを、前記表示部に表示させる。
（２）前記（１）において、完全合致状態のオンライン地点と、一部合致状態のオンライン地点とは、表示内容を異ならせる。
（３）前記目的地追加入力キーの操作により、表示部に表示されたオンライン地点を目的地設定した場合には、表示部に自評価入力欄を表示させる。
【発明の効果】
【０００９】
以上のように、本発明は、現在位置を取得する現在位置取得手段と、この現在位置取得手段に接続された制御部と、この制御部に接続された地図情報記憶部、ディスプレイ、入力部、およびオンライン通信部と、このオンライン通信部で受信した情報を保存する情報保存部とを備えたものである。
【００１０】
また、前記制御部は、前記入力部によって、ピックアップ希望情報が入力された場合で、前記表示部に表示されている現在位置の地図上において、そのピックアップ希望情報に合致するオンライン地点が前記情報保存部に存在するときには、オンライン地点と、このオンライン地点の他者評価を、前記表示部に表示させるものであるので、他者評価を参考として目的地設定を行うことになる。
【００１１】
このため、訪れた目的地が、例えば店が食堂であった場合、料理の味や店の雰囲気が好ましくない状態となることは少なく、その結果として、使い勝手の良いものになる。
【００１２】
また、表示部に表示されたオンライン地点を目的地設定した場合には、表示部に自評価入力欄を表示させるので、自分の評価を入力し、それの評価結果が高いものは、自分のお勧め地点登録することもでき、この点からも使い勝手の良いものになる。
【００１３】
さらに、完全合致状態のオンライン地点と、一部合致状態のオンライン地点とは、表示内容を異ならせているので、現場における選択の幅が広がり、その点からも使い勝手の良いものになる。
【図面の簡単な説明】
【００１４】
【図１】本発明の一実施形態におけるナビゲーション装置を搭載した自動車の内部正面図
【図２】同ナビゲーション装置の制御ブロック図
【図３】同ナビゲーション装置の動作状態を示す図
【図４】同ナビゲーション装置の動作状態を示す図
【図５】同ナビゲーション装置の動作状態を示す図
【図６】同ナビゲーション装置の動作状態を示す動作フローチャート
【図７】同ナビゲーション装置の動作状態を示す動作フローチャート
【図８】同ナビゲーション装置の動作状態を示す動作フローチャート
【図９】同ナビゲーション装置の動作状態を示す動作フローチャート
【図１０】同ナビゲーション装置の動作状態を示す動作フローチャート
【図１１】同ナビゲーション装置の動作状態を示す動作フローチャート
【図１２】同ナビゲーション装置の動作状態を示す図
【図１３】同ナビゲーション装置の動作状態を示す動作フローチャート
【図１４】同ナビゲーション装置の動作状態を示す図
【図１５】同ナビゲーション装置の動作状態を示す動作フローチャート
【図１６】同ナビゲーション装置の動作状態を示す図
【発明を実施するための形態】
【００１５】
以下、本発明の一実施の形態を添付図面を用いて説明する。
（実施の形態１）
図１において、１は、自動車で、その車内２の前方にはハンドル３が配置されている。また、ハンドル３の左方にはナビゲーション装置４が配置されている。
【００１６】
さらに、これらハンドル３、ナビゲーション装置４の後方には、運転席５と助手席６が配置されている。
【００１７】
図２はナビゲーション装置４の制御ブロックを示しており、現在位置を取得する現在位置取得手段７と、この現在位置取得手段７に接続された制御部８と、この制御部８に接続された地図情報記憶部９、ディスプレイ（表示部の一例）１０、入力部１１、およびオンライン通信部１２と、このオンライン通信部１２で受信した情報を保存する情報保存部１
３とを備えている。
【００１８】
前記現在位置取得手段７は、よく知られているように、ＧＰＳ受信部１４、車速パルス検出部１５、ジャイロセンサー１６によって構成されている。
【００１９】
また、制御部８には、その他に、情報の絞込みを行う通知判定部１７、評価情報の判定を行う評価判定部１８、地図情報の探索、案内を行う探索・案内部１９、ディスプレイ１０上において、地図情報やその地図上への表示内容を形成する描画部２０、スピーカ２１により音声案内を行う音声部２２、ディスプレイ１０とスピーカ２１への出力を行うための出力部２３が接続されている。
【００２０】
なお、前記入力部１１は、ディスプレイ１０上において形成されているタッチパネルスイッチによって構成されている。
【００２１】
また、この入力部１１には、情報保存部２４が接続されている。
【００２２】
さらに、探索・案内部１９、描画部２０、音声部２２には、情報保存部２５が接続されている。
【００２３】
また、オンライン通信部１２は、携帯電話（携帯取得端末の一例）２６を介し、通信サーバー２７からのオンライン情報を取得するもので、取得されたオンライン情報は情報保存部１３に順次更新されながら保存されるようになっている。
【００２４】
以上の構成において、本実施形態のナビゲーション装置も、よく知られたように、入力部１１によって目的地を設定すれば、現在位置を含む地図と、その目的地に向けての案内ルートが、ディスプレイ１０に表示され、またスピーカ２１からの音声案内も行われる。
【００２５】
本実施形態において特徴的なのは、操作者が、入力部１１からピックアップ希望情報を入力することができると言うことである。
【００２６】
ピックアップ希望情報とは、運転経路の近傍に、運転者や同乗者の希望する地点が存在する情報を言う。
【００２７】
例えば、「焼きたてパン」を食べたいと思っている人物は、このピックアップ希望情報として、「焼きたてパン」と言う入力を入力部１１から行う。また、バラを鑑賞したいと思っている人物は、このピックアップ希望情報として、「バラ鑑賞」と言う入力を入力部１１から行う。
【００２８】
今回、「焼きたてパン」と言うピックアップ希望情報を入力部１１から入力すると、制御部８により、その情報は、情報の絞込みを行う通知判定部１７と、情報保存部２４に入力される（図６のＳ１）。
【００２９】
次に、制御部８は、通知判定部１７における絞込み条件を、オンライン通信部１２と、情報保存部１３に伝達し、絞り込み条件を更新する（図６のＳ２）。
【００３０】
次に、制御部８は、現在位置取得手段７からの情報により、現在位置を取得する（図６のＳ３）。
【００３１】
次に、制御部８は、通知判定部１７により、現在位置近傍のパン屋が発する最新情報が有るか、否かの絞込み検索を行う（図６のＳ４）。
【００３２】
そして、この検索結果として、最新情報を発しているパン屋が、現在位置近傍に存在するときには、その情報は、情報保存部１３に保存されているので、次に制御部８は、この情報保存部１３から地図描画に必要な情報と音声情報を取得する（図７のＳ５）。
【００３３】
そして、映像情報は描画部２０によって画像化し、情報保存部２５に保存する（図７のＳ６）。
【００３４】
なお、音声情報は、音声部２２を介し、映像情報に関連付けられ、情報保存部２５に保存される（図７のＳ６）。
【００３５】
次に、制御部８は、情報保存部２５に保存された映像情報を、ディスプレイ１０に表示されている現在地図上に重畳して表示させる（図７のＳ７）。
【００３６】
なお、（図７のＳ７）では、図８に示す動作が行われている。
【００３７】
つまり、制御部８は、現在位置からの到着予想時刻には開店しているか、否か（図８のＳ７−１）を判定し、開店状態であれば図３中の開店表示（Ａ）を行い（図８のＳ７−２）、閉店状態であれば閉店表示（Ｂ）を行う（図８のＳ７−２）。
【００３８】
そのような状態を示したものが図３であり、各種パン屋が沢山存在していても、「焼きたてパン」と言うピックアップ希望情報を発信しているパン屋だけが、表示される。
【００３９】
この図３においては、開店表示（Ａ）が２軒、閉店表示（Ｂ）が１軒、それぞれメッセージ（吹き出し）をともなって表示されている。
【００４０】
そして、この状態で、１軒のパン屋の吹き出しを指で操作すると、図４のごとく詳細な情報がディスプレイ１０に文字で表示され、また音声がスピーカ２１から発せられる（図７のＳ７）。
【００４１】
ここで、特徴的なのは、本実施形態においては、「焼きたてパン」が何時に焼きあがったかと言うことだけでなく、他者の評価が表示、音声案内されることである。
【００４２】
図４の例では評価が５段階中の３であることが表示、音声案内されているので、この評価を他の２軒のパン屋の評価と比較し、目的地を選択できるということである。
【００４３】
目的地の設定は、図４のディスプレイ１０中に表示された操作部２８ａを操作すれば、制御部８は選択されたパン屋を目的地として、案内することになる（図９のＳ８、Ｓ９）。
【００４４】
そして、目的地に到着すると（図９のＳ１０）、制御部８は情報保存部２５に目的地到着を記憶させる（図９のＳ１１）。
【００４５】
本実施形態では、図４に示すように、取置き依頼のための操作部２８ｂと、配達依頼のための操作部２８ｃも表示されているので、これらの操作部２８ａ〜２８ｃの全てが、この図４の表示した後、所定時間後までに操作されないと、ディスプレイ１０の表示は、所期の目的地への案内顔面に戻る（図１０のＳ１２、Ｓ１３）。
【００４６】
さて、選択したパン屋で「焼きたてパン」を購入し、それを食した人物が、次にナビゲーション装置を起動すると、制御部８は評価判定部１８が作成する評価画面をディスプレ
イ１０に、図５のごとく表示させる（図１１のＳ１４、１５）。
【００４７】
したがって、直ちにこの図５の評価画面の操作部１０ａから評価を入力し、次に操作部１０ｂにより入力完了を入力する（図１１のＳ１６）。
【００４８】
すると、この評価は、評価判定部１８から、オンライン通信部１２、携帯電話（携帯取得端末の一例）２６を介し、通信サーバー２７に返信される（図１１のＳ１７）。
【００４９】
なお、この図５の評価画面で評価を「４」または「５」にした場合には、自分としてのお勧め地点登録して、情報保存部２４に保存することもできる（図１１のＳ１８、１９）。
【００５０】
そして、このような評価が完了すると、ディスプレイ１０には、所期の目的地への案内画面が表示される（図１１のＳ２０）。
【００５１】
本実施形態での他の特徴点としては、目的地への到着と、評価の入力が行われた場合には、制御部８は、次回以降は、このパン屋の評価画面をディスプレイ１０中に表示させないようにしていることである。
【００５２】
つまり、同一人物による、故意の複数回入力が発生すると、評価の信頼性が低くなることが有るので、それを防止し、評価の信頼性を高めるようにしているのである。
【００５３】
以上のごとく本実施形態によれば、前記制御部８は、入力部１１によって、ピックアップ希望情報が入力された場合で、前記ディスプレイ（表示部の一例）１０に表示されている現在位置の地図上において、そのピックアップ希望情報に合致（一部一致、全部一致を含む）するオンライン地点が前記情報保存部１３に存在するときには、オンライン地点と、このオンライン地点の他者評価を、前記ディスプレイ１０に表示させるものであるので、他者評価を参考として目的地設定を行うことになる。
【００５４】
このため、訪れた目的地が、例えば店が食堂であった場合、料理の味や店の雰囲気が好ましくない状態となることは少なく、その結果として、使い勝手の良いものになる。
【００５５】
また、ディスプレイ１０に表示されたオンライン地点を目的地設定した場合には、ディスプレイ１０に自評価入力欄を表示させるので、自分の評価を入力し、それの評価結果が高いものは、自分のお勧め地点登録することもでき、この点からも使い勝手の良いものになる。
【００５６】
さらに、目的地への到着と、評価の入力が行われた場合には、制御部８は、次回以降はこのパン屋の評価画面をディスプレイ１０中に表示させないようにしているので、同一人物による、故意の複数回入力による、評価の信頼性低下を防ぐことが出来る。
【００５７】
なお、評価項目としては、ピックアップ希望情報に応じて、味、雰囲気、値段などが適宜設定される。
【００５８】
次に、図３における閉店表示（Ｂ）について説明する。
【００５９】
この閉店表示（Ｂ）は、この図３を見ただけでも選択すべきものではないことが理解される。
【００６０】
つまり、開店表示（Ａ）と閉店表示（Ｂ）の表示内容を異ならせることにより、不用意
に閉店表示（Ｂ）を操作して、無駄な時間を使わないようにしているので、使い勝手のよいものとなる。
【００６１】
また、誤ってこの閉店表示（Ｂ）を操作してしまった場合には、ディスプレイ１０には図１２に示す映像が表示されるので、間違った操作を行ってしまうことも防止できる。
【００６２】
つまり、「焼きたてパン」が何時に焼きあがったかと言うことだけでなく、他者の評価も表示されているが、この図１２においては図４に示した操作部２８ａ、２８ｂ、２８ｃは表示されていない。
【００６３】
それは、例えば到着予想時間が、開店時間を越えてしまう場合などがそれにあたり、この場合には、操作部２８ａ、２８ｂ、２８ｃは表示されず、目的地設定が出来ない表示が行われているので、図３の閉店表示（Ｂ）を目的地として選択することは出来ない。
【００６４】
ただし、この図１２でも開店時間や、評価などは確認することが出来るので、以降の参考にすることはできる。
【００６５】
次に、図４において、操作部２８ｂが操作された状態を説明する。
【００６６】
この状態は、今からそのパン屋に向かうので、焼き立てパンを取置きして欲しいときに操作する。
【００６７】
図４において、操作部２８ｂが操作されると（図１３のＳ２１）、制御部８は図１４に示す表示を行う（図１３のＳ２２）。
【００６８】
この例では、メロンパンに触れ、次に個数１個として設定し、その後、パン屋への到着時間を１５時に設定した状態を示している（図１３のＳ２３）。
【００６９】
そして、この図１４における操作部２８ｄを操作すると、その情報がオンライン通信部１２、携帯電話（携帯取得端末の一例）２６、通信サーバー２７を介して指定のパン屋に伝送される（図１３のＳ２４）。
【００７０】
すると、ディスプレイ（表示部の一例）１０の表示は、そのパン屋へのルート案内画面へと変わることになる（図１３のＳ２５）。
【００７１】
次に、図４において、操作部２８ｃが操作された状態を説明する。
【００７２】
この状態は、そのパン屋から、焼き立てパンを配達して欲しいときに操作する。
【００７３】
図４において、操作部２８ｃが操作されると（図１５のＳ２６）、制御部８は図１６に示す表示を行う（図１５のＳ２７）。
【００７４】
この例では、メロンパンに触れ、次に個数１個として設定し、その後、配達希望時刻を１５時、配達場所を自宅に設定した状態を示している（図１５のＳ２８）。
【００７５】
そして、この図１６における操作部２８ｅを操作すると、その情報がオンライン通信部１２、携帯電話（携帯取得端末の一例）２６、通信サーバー２７を介して指定のパン屋に伝送される（図１５のＳ２９）。
【００７６】
すると、ディスプレイ（表示部の一例）１０の表示は、このパン屋関係の操作をする前
の、当初の目的地に対するルート案内画面へと変わることになる（図１５のＳ３０）。
【００７７】
なお、配達場所の指示をする場合には、自宅であれば住所、電話番号、氏名が同時にパン屋に送信され、また車であれば、車の駐車場所、車の登録番号、電話番号、氏名が同時にパン屋に送信されるようになっている。
【産業上の利用可能性】
【００７８】
以上のように本発明では、前記入力部によって、ピックアップ希望情報が入力された場合で、前記表示部に表示されている現在位置の地図上において、そのピックアップ希望情報に合致するオンライン地点が前記情報保存部に存在するときには、オンライン地点と、このオンライン地点の他者評価を、前記表示部に表示させるものであるので、他者評価を参考として目的地設定を行うことになる。
【００７９】
このため、訪れた目的地が、例えば店が食堂であった場合、料理の味や店の雰囲気が好ましくない状態となることは少なく、その結果として、使い勝手の良いものになる。
【００８０】
また、表示部に表示されたオンライン地点を目的地設定した場合には、表示部に自評価入力欄を表示させるので、自分の評価を入力し、それの評価結果が高いものは、自分のお勧め地点登録することもでき、この点からも使い勝手の良いものになる。
【００８１】
さらに、完全合致状態のオンライン地点と、一部合致状態のオンライン地点とは、表示内容を異ならせているので、現状における選択の幅が広がり、その点からも使い勝手の良いものになる。
【００８２】
したがって、ナビゲーション装置としての活用が期待される。
【符号の説明】
【００８３】
１  自動車
２  車内
３  ハンドル
４  ナビゲーション装置
５  運転席
６  助手席
７  現在位置取得手段
８  制御部
９  地図情報記憶部
１０  ディスプレイ（表示部の一例）
１０ａ，１０ｂ  操作部
１１  入力部
１２  オンライン通信部
１３  情報保存部
１４  ＧＰＳ受信部
１５  車速パルス検出部
１６  ジャイロセンサー
１７  通知判定部
１８  評価判定部
１９  探索・案内部
２０  描画部
２１  スピーカ
２２  音声部
２３  出力部
２４  情報保存部
２５  情報保存部
２６  携帯電話（携帯取得端末の一例）
２７  通信サーバー
２８ａ、２８ｂ、２８ｃ、２８ｄ、２８ｅ  操作部
【図１】
2013205035.tif 000003
【図２】
2013205035.tif 000004
【図３】
2013205035.tif 000005
【図４】
2013205035.tif 000006
【図５】
2013205035.tif 000007
【図６】
2013205035.tif 000008
【図７】
2013205035.tif 000009
【図８】
2013205035.tif 000010
【図９】
2013205035.tif 000011
【図１０】
2013205035.tif 000012
【図１１】
2013205035.tif 000013
【図１２】
2013205035.tif 000014
【図１３】
2013205035.tif 000015
【図１４】
2013205035.tif 000016
【図１５】
2013205035.tif 000017
【図１６】
2013205035.tif 000018